(57)【要約】【課題】建物の床面積の減少を抑えながら、採光効率の向上を図ることができる建物を提供する。【解決手段】平面視において、第１直状階段Ｋ１と第２直状階段Ｋ２とを階段の幅方向にずらして配置し、３階Ｘ３の床Ｆ３において第１直状階段Ｋ１の上方位置に３階第１開口部Ｈ３１を設ける。これにより、採光窓３５から建物Ａ内に入射した光を、３階Ｘ３の床Ｆ３に設けられた３階第１開口部Ｈ３１、第１直状階段Ｋ１との連絡のために２階Ｘ２の床Ｆ２に設けられた２階開口部Ｈ２、を介して、１階Ｘ１へ導くことができ、１階Ｘ１への採光を十分に確保することができる。【選択図】図６
2013002052.tif 000002
【特許請求の範囲】
【請求項１】
下部階と、中間階と、上部階とを備えた建物であって、
前記下部階と前記中間階とを連絡する第１直状階段と、
前記中間階と前記上部階とを連絡すると共に、前記第１直状階段と昇降方向が平行、かつ平面視において前記第１直状階段に対して階段の幅方向に所定寸法ずらして配置された第２直状階段と、
前記上部階の床において、前記第１直状階段の上方位置に設けられた吹き抜け部と、
前記上部階における前記吹き抜け部を含む空間に面して設けられた採光部と、
を備えることを特徴とする建物。
【請求項２】
前記採光部は、平面視において、前記第１直状階段の昇降方向に面する壁に設けられていることを特徴とする請求項１に記載の建物。
【請求項３】
前記採光部は、前記壁における前記吹き抜け部の位置に対応して設けられていることを特徴とする請求項２に記載の建物。
【請求項４】
前記第１直状階段は、前記採光部が設けられている側に向けて昇るように配置されていることを特徴とする請求項１〜３のいずれか一項に記載の建物。
【請求項５】
前記上部階は、前記中間階の外壁位置よりもセットバックされたセットバック壁を有し、
前記採光部は、前記セットバック壁に設けられる、
ことを特徴とする請求項１〜４のいずれか一項に記載の建物。
【請求項６】
前記第１直状階段は、前記下部階から前記上部階にかけて連続する内壁に接していることを特徴とする請求項１〜５のいずれか一項に記載の建物。
【請求項７】
前記第２直状階段は、下端が前記中間階の床で支持されると共に上端が前記上部階の床梁で支持された桁を備える桁式階段であることを特徴とする請求項１〜６のいずれか一項に記載の建物。
【請求項８】
請求項１〜７のいずれか一項に記載の建物の構成を、集合住宅又は併用住宅の住戸に適用したことを特徴とする建物。
【発明の詳細な説明】
【技術分野】
【０００１】
本発明は、住宅等の建物に関するものである。
【背景技術】
【０００２】
都市部（建蔽率や容積率が比較的緩やかで、建物を高密に建設することが可能な地域）において多く見られる奥行寸法に比べて間口寸法が小さい敷地に建物を建設する場合、前面道路側以外の３面が近隣の建物と接近し、採光面が前面道路側に限定されることが多い。
【０００３】
２階建の建物の場合、例えば特許文献１に記載のように、吹き抜けや階段室等の床の存在しない領域を利用して、１階の奥側に位置する居室への採光が可能である。
【先行技術文献】
【特許文献】
【０００４】
【特許文献１】実用新案登録第３１１２６４０号公報
【発明の概要】
【発明が解決しようとする課題】
【０００５】
しかしながら、例えば、３階建の建物の場合、床面積を広く確保するため、１階と２階とを連絡する階段に対し、２階と３階とを連絡する階段を平面視で重ねて配置することが多く、この場合には、３階の採光窓から採り込まれた光は階段によって遮られてしまうので、階段室を利用して１階への採光を確保することが困難となる。また、２階床と３階床とを貫く吹き抜け部を設けることが考えられるが、吹き抜け部を２層に亘って設けると床面積の減少が甚だしくなるという問題がある。
【０００６】
そこで本発明は、このような都市部に建設される３以上の階層を有する建物における問題を解決するためになされたものであり、建物の床面積の減少を抑えながら、採光効率の向上を図ることができる建物を提供することを目的とする。
【課題を解決するための手段】
【０００７】
上記課題を解決すべく、本発明に係る建物は、下部階と、中間階と、上部階とを備えた建物であって、下部階と中間階とを連絡する第１直状階段と、中間階と上部階とを連絡すると共に、第１直状階段と昇降方向が平行、かつ平面視において第１直状階段に対して階段の幅方向に所定寸法ずらして配置された第２直状階段と、上部階の床において、第１直状階段の上方位置に設けられた吹き抜け部と、上部階における吹き抜け部を含む空間に面して設けられた採光部と、を備えることを特徴とする。
【０００８】
ここで直状階段とは、外形が平面視で略長方形であり、短辺２辺の近傍に昇降基点（下部昇降基点、上部昇降基点）を有し、長辺に沿って直線的に昇降する形式の階段、換言すると、一方の短辺近傍から昇り（降り）始め、長辺に沿って直線的に昇り（降り）、他方の短辺近傍で昇り（降り）きる形式の階段である。このような直状階段は、長辺側からの側面視で、一方の昇降基点から他方の昇降基点に向かう傾斜を有しており、上部昇降基点近傍に採光部を設けることによって、段板や折り返し部で遮られることなく、下部昇降基点の側に光を落とすことができる。
【０００９】
この発明では、平面視において第１直状階段と第２直状階段とが階段の幅方向に所定寸法ずれ、上部階の床において第１直状階段の上方位置に吹き抜け部が設けられていることにより、上部階の採光部から建物内に採り込まれた光を、上部階の床に設けられた吹き抜け部と、第１直状階段の設置のために中間階の床に設けられた開口部と、を介して下部階へ導くことができ、下部階への採光を十分に確保することができる。この場合、下部階へ光を導くための吹き抜け部を中間階の床に別途設ける必要がなく、建物の床面積の減少を抑制することができる。以上のように、本発明に係る建物においては、建物の床面積の減少を抑えながら、採光効率の向上を図ることができる。
【００１０】
また、採光部は、平面視において、第１直状階段の昇降方向に面する壁に設けられていることが好ましい。この場合には、採光部から建物内に採り込まれた光を、下部階へ効率よく導くことができる。
【００１１】
また、採光部は、平面視において第１直状階段の昇降方向に面する壁における吹き抜け部の位置に対応して設けられていることが好ましい。この場合には、採光部が吹き抜け部の位置に対応して設けられるので、採光部から建物内に採り込まれた光を、第１直状階段に直接導くことができ、下部階への採光をより効率よく行うことができる。
【００１２】
また、第１直状階段は、採光部が設けられている側に向けて昇るように配置されていることが好ましい。この場合には、採光部から下部階へ入射する光の傾斜に沿って第１直状階段が傾斜しているので、第１直状階段によって光が遮られることが抑制され、採光部から下部階への採光効率をより一層向上させることができる。
【００１３】
また、上部階は、中間階の外壁位置よりもセットバックされたセットバック壁を有し、採光部は、セットバック壁に設けられることが好ましい。この場合には、採光部を、平面視で第１直状階段及び第２直状階段の近傍に設置することができ、採光部から採り込まれた光を第１直状階段に直接導くことが可能となって、下部階への採光をより効率よく行うことができる。例えば、第１直状階段及び第２直状階段が建物の中央付近に設置されている場合、セットバック壁とは異なる外壁（上部階の外壁）に採光部を設置すると、平面視で、採光部から第１直状階段及び第２直状階段までの距離が離れてしまい、採光部から建物内に採り込まれた光を第１直状階段へ直接導くことが困難となる。このような場合に、セットバック壁を設けて当該セットバック壁に採光部を設置することで、採光部から採り込まれた光を第１直状階段に効率よく導くことができるものとなる。
【００１４】
また、第１直状階段は、下部階から上部階にかけて連続する内壁に接していることが好ましい。この場合には、採光部から建物内に入射した光が、第１直状階段の上方位置の内壁で反射し、これらの反射光についても下部階へ導かれることで、下部階への採光効率をより一層向上させることができる。
【００１５】
また、第２直状階段は、下端が中間階の床で支持されると共に上端が上部階の床梁で支持された桁を備える桁式階段であることが好ましい。第２直状階段を桁式階段とすることで、第２直状階段の下方の空間（階段の裏側の空間）を、例えば高さを必要としない机等の家具やＡＶ機器等の設置スペースとすることができ、居室の一部として有効活用が可能となる。
【００１６】
また、本発明に係る建物の構成を、集合住宅又は併用住宅の住戸に適用することができる。集合住宅や併用住宅の住戸部分に適用することで、建物の床面積の減少を抑えながら、採光効率の向上を図ることができる。
【発明の効果】
【００１７】
本発明によれば、建物の床面積の減少を抑えながら、採光効率の向上を図ることができる。
【図面の簡単な説明】
【００１８】
【図１】実施形態に係る建物を示す上面図である。
【図２】図１の建物の奥行き方向の断面を示す断面図である。
【図３】図１の建物の１階を示す平面図である。
【図４】図１の建物の２階を示す平面図である。
【図５】図１の建物の３階を示す平面図である。
【図６】図１の建物の内部構造を示す斜視図である。
【図７】図１の建物の間口方向の断面を模式的に表した断面図である。
【図８】図１の建物の奥行き方向の断面を模式的に表した断面図である。
【図９】変形例に係る集合住宅を示す上面図である。
【図１０】変形例に係る併用住宅を示す上面図である。
【発明を実施するための形態】
【００１９】
以下、図面を参照しつつ、本発明に係る建物の好適な一実施形態について詳細に説明する。なお、本実施形態では、建物構成の説明を容易にするため、便宜上、図１中の上方向を北側として説明する。
【００２０】
本実施形態の建物Ａは、３階建の鉄骨造ラーメン構造の工業化住宅であり、３０５ｍｍの平面モジュールＭを有している。また、建物Ａは専用住宅（戸建住宅）である。以下の説明で建物、居室、階段等の平面的寸法をＭの整数倍で表現するが、これは柱や間仕切り等の中心間の寸法であって最大寸法や有効寸法ではない。
【００２１】
図１に示されるように、建物Ａは、南側が道路Ｒに接した矩形状の敷地Ｇに建てられている。この敷地Ｇは、都市部において多く見られる、奥行寸法に比べて間口寸法が小さい敷地となっている。また、敷地Ｇの隣地Ｎにも、図示は省略するが建物が建てられており、敷地Ｇに建てられた建物Ａは、隣地Ｎに建てられた建物によって３面が囲まれた状態となっている。
【００２２】
建物Ａは、敷地Ｇの形状に合わせて、平面視で南北方向に細長く延びた長方形であり、間口方向は１スパン、奥行方向は３スパンで構成され、間口寸法（柱の芯−芯寸法）については３０５０ｍｍ（Ｍ×１０）である。
【００２３】
（建物の１階の構成）
図２及び図３に示されるように、建物Ａの１階（下部階）Ｘ１は、南側壁Ｗ１１、東側壁Ｗ２、西側壁Ｗ３、及び北側壁Ｗ４によって四面が囲まれて形成される。１階Ｘ１には、玄関１１と、１階中間居室１２と、１階北側居室１３と、第１直状階段Ｋ１とが設けられている。１階Ｘ１の南側壁Ｗ１１は、２階Ｘ２の南側壁Ｗ１２よりも、北側にオフセットした位置に設けられている。南側壁Ｗ１１をオフセットさせることによって形成される外部スペースは、駐車スペースＰとして利用される。
【００２４】
南側壁Ｗ１１には、玄関扉１１ａが設けられている。玄関１１は、玄関扉１１ａの室内側に隣接して設けられている。１階中間居室１２は、建物Ａの１階Ｘ１における南北方向の略中央部に形成される。１階北側居室１３は、１階中間居室１２の北側に形成される。
【００２５】
第１直状階段Ｋ１は、建物Ａの１階Ｘ１と２階Ｘ２とを連絡するものであり、形式的には、下部昇降基点及び上部昇降基点の近傍で、段板（昇降）方向が９０度変化する上下曲がり階段である。幅寸法は９１５ｍｍ（Ｍ×３）であり、建物Ａの１階Ｘ１における南北方向の略中央部において、東側壁Ｗ２の内側（下部階の内壁）に一方の長辺が沿って、南に向かって昇るように配置されている。
【００２６】
１階中間居室１２と１階北側居室１３との境界線上に扉を設けたり、１階中間居室１２内に仕切りを設けて１階中間居室１２を複数の部屋に区分けしたりするなど、居室の構成については適宜の設計を採用することができるが、１階北側居室１３と第１直状階段Ｋ１との間には、完全に光を遮断する仕切りを設けずに、図３に示すように開口状態を保つ、あるいは可動式の仕切りや光の透過性を有する間仕切りで仕切るのが、採光上好ましい。
【００２７】
（建物の２階の構成）
図２及び図４に示されるように、建物Ａの２階（中間階）Ｘ２は、南側壁Ｗ１２、東側壁Ｗ２、西側壁Ｗ３、及び北側壁Ｗ４によって四面が囲まれて形成される。２階Ｘ２には、２階南側居室２１と、２階中間居室２２と、２階北側居室２３と、第２直状階段Ｋ２とが設けられている。
【００２８】
第２直状階段Ｋ２は、建物Ａの２階Ｘ２と３階Ｘ３とを連絡するものであり、形式的には第１直状階段Ｋ１と同じ上下曲がり階段であり、幅寸法は９１５ｍｍ（Ｍ×３）である。第２直状階段Ｋ２は、建物Ａの２階Ｘ２における南北方向の略中央部かつ東西方向の略中央部に、第１直状階段Ｋ１と同様に、南に向かって昇るように配置されている。即ち、第１直状階段Ｋ１と第２直状階段Ｋ２とは、昇降方向が平行となっている。また、第１直状階段Ｋ１と第２直状階段Ｋ２とは、平面視において、互いに階段の幅方向（東西方向）が重ならないように配置されている。また、第２直状階段Ｋ２は、構造的には桁式階段、即ち、側桁、ささら桁、力桁等の桁を備え、桁で段板を支持する形式の階段であり、桁の下端が２階Ｘ２の床Ｆ２で支持され、桁の上端が３階Ｘ３の床Ｆ３の床梁で支持されている。従って、桁の中間部を床から起立させた支柱等で支持する必要がない。
【００２９】
建物Ａの２階Ｘ２の床Ｆ２において、第１直状階段Ｋ１の上方位置は第１直状階段Ｋ１の大きさに対応して開口しており、２階開口部Ｈ２が形成されている。２階南側居室２１は、第２直状階段Ｋ２の南側に形成され、２階北側居室２３は、第２直状階段Ｋ２の北側に形成されている。また、２階中間居室２２は、第２直状階段Ｋ２の西側に形成され、２階北側居室２３と２階南側居室２１とに接続されている。なお、図２及び図６に示されるように、第２直状階段Ｋ２の下方（第２直状階段Ｋ２の裏側）まで、２階中間居室２２の床Ｆ２が広がり、第２直状階段Ｋ２の下方に階段下床Ｆ２ａが形成されている。２階中間居室２２の床Ｆ２の幅寸法と、第２直状階段Ｋ２の下方の階段下床Ｆ２ａの幅寸法との合計値は、２１３５ｍｍ（Ｍ×７）となる。
【００３０】
２階Ｘ２の各居室の構成については、適宜仕切りを設けるなど、各種の設計を採用することができるが、２階開口部Ｈ２の開口縁に沿って仕切りを設ける場合は、転落の危険性のない範囲内で、完全に光を遮断する仕切りを設けずに、図２や図４に示すように腰壁手摺Ｗ６として開口状態を保つ、あるいは可動式の仕切りや光の透過性を有する仕切りを設けるのが、採光上好ましい。
【００３１】
（建物の３階の構成）
図２及び図５に示されるように、建物Ａの３階（上部階）Ｘ３には、セットバック壁Ｗ５、東側壁Ｗ２、西側壁Ｗ３、及び北側壁Ｗ４によって四面が囲まれた建物Ａの３階Ｘ３の室内空間Ｓ３と、南側壁Ｗ１２、東側壁Ｗ２、西側壁Ｗ３、及びセットバック壁Ｗ５によって四面が囲まれたベランダＢとが設けられている。
【００３２】
ベランダＢは、建物Ａの３階Ｘ３の室内空間Ｓ３の南側に位置している。ベランダＢの上部には、建物Ａの屋根Ｙが設けられておらず（図１等参照）、上方が開口した状態となっている。セットバック壁Ｗ５は、南側壁Ｗ１２の位置から北側にセットバックした位置に設けられており、平面視で、第１直状階段Ｋ１及び第２直状階段Ｋ２の南側の端部近傍の位置に設けられている。セットバック壁Ｗ５には、平面視で、第１直状階段Ｋ１及び第２直状階段Ｋ２の南側の端部と対応する位置に、光の透過性を有する採光窓（採光部）３５が設けられ、更に、採光窓３５に隣接して、採光機能とベランダＢへの出入り機能を兼ねたベランダ扉３６が設けられている。なお、ベランダＢの上部におけるベランダ扉３６の近傍は、屋根Ｙの一部を南側に延ばして形成された庇Ｙａ（図１等参照）によって覆われている。
【００３３】
室内空間Ｓ３内には、３階中間居室３１と、３階北側居室３２とが設けられている。建物Ａの３階Ｘ３の床Ｆ３において、第１直状階段Ｋ１の上方位置は第１直状階段Ｋ１の大きさに対応して開口しており、３階第１開口部（吹き抜け部）Ｈ３１が形成され、更に、第２直状階段Ｋ２の上方位置は第２直状階段Ｋ２の大きさに対応して開口しており、３階第２開口部Ｈ３２が形成されている。なお、セットバック壁Ｗ５は、３階Ｘ３の床Ｆ３において、３階第１開口部Ｈ３１及び３階第２開口部Ｈ３２の南側の開口縁に沿って設けられている。また、３階第１開口部Ｈ３１及び３階第２開口部Ｈ３２の北側及び西側の開口縁（第２直状階段Ｋ２の昇りきりの位置を除く）に沿って、転落防止のための腰壁手摺Ｗ６が設けられている。
【００３４】
採光窓３５は、平面視において、第１直状階段Ｋ１（３階第１開口部Ｈ３１）及び第２直状階段Ｋ２に面して設けられている。また、採光窓３５は、平面視において、第１直状階段Ｋ１及び第２直状階段Ｋ２の昇り方向の正面に位置している。即ち、居住者が第１直状階段Ｋ１及び第２直状階段Ｋ２を昇る場合、採光窓３５に向かって移動することとなる。
【００３５】
（採光窓からの採光）
次に、採光窓３５から建物Ａの内部への採光について説明する。採光窓３５から建物Ａの内部へ入射した光は、特に、図７及び図８に示されるように、３階Ｘ３の床Ｆ３に設けられた３階第１開口部Ｈ３１及び３階第２開口部Ｈ３２を介して２階Ｘ２へ直接導かれ、更に、２階Ｘ２の床Ｆ２に設けられた２階開口部Ｈ２を介して１階Ｘ１へ直接導かれる。
【００３６】
また、特に、図７に示されるように、採光窓３５から建物Ａ内に入射した光は、第１直状階段Ｋ１の一方の長辺に沿って１階から３階まで連続的に起立した東側壁Ｗ２の内面で反射し、これらの反射光についても１階Ｘ１へ導かれる。
【００３７】
本実施形態は以上のように構成され、平面視において、第１直状階段Ｋ１と第２直状階段Ｋ２とが階段の幅方向にずらして配置され、３階Ｘ３の床Ｆ３において第１直状階段Ｋ１の上方位置に３階第１開口部Ｈ３１が設けられていることにより、３階Ｘ３の採光窓３５から建物Ａ内に入射した光を、３階Ｘ３の床Ｆ３に設けられた３階第１開口部Ｈ３１と、第１直状階段Ｋ１の設置のために２階Ｘ２の床Ｆ２に設けられた２階開口部Ｈ２と、を介して１階Ｘ１へ導くことができ、１階Ｘ１への採光を十分に確保することができる。
【００３８】
この場合、１階Ｘ１へ光を導くための吹き抜け部を２階Ｘ２の床Ｆ２に別途設ける必要がなく、建物Ａの床面積の減少を抑制することができる。
【００３９】
本実施形態に係る建物Ａのように、隣地Ｎに建てられた建物等によって３面が囲まれ、更に、間口の幅が狭い場合には、道路Ｒに面した側からしか採光を行うことができず、特に、建物Ａの１階Ｘ１の奥側に位置する居室（１階北側居室１３等）への採光が困難となり易い。しかしながら、上述した採光のための構成を採用することで、建物Ａの床面積の減少を抑制しながら、建物Ａ内への採光効率を向上させることができる。
【００４０】
また、採光窓３５が、平面視において、第１直状階段Ｋ１の昇降方向（南北方向）に面する壁に設けられていることで、採光窓３５から建物Ａ内に採り込まれた光を１階Ｘ１へ効率よく導くことができる。
【００４１】
また、採光窓３５が、平面視において、第１直状階段Ｋ１の昇降方向に面するセットバック壁Ｗ５における３階第１開口部Ｈ３１の位置に対応して設けられていることで、採光窓３５から建物Ａ内に採り込まれた光を、第１直状階段Ｋ１に直接導くことができ、１階Ｘ１への採光をより効率よく行うことができる。
【００４２】
また、第１直状階段Ｋ１を、採光窓３５が設けられている側に向けて昇るように配置したことで、採光窓３５から１階Ｘ１へ入射する光の傾斜に沿って第１直状階段Ｋ１が傾斜することとなり、第１直状階段Ｋ１によって光が遮られることが抑制され、採光窓３５から１階Ｘ１への採光効率をより一層向上させることができる。同様に、第２直状階段Ｋ２を、採光窓３５が設けられている側に向けて昇るように配置したことで、採光窓３５から２階Ｘ２へ入射する光の傾斜に沿って第２直状階段Ｋ２が傾斜することとなり、第２直状階段Ｋ２によって光が遮られることが抑制され、採光窓３５から２階Ｘ２への採光効率をより一層向上させることができる。
【００４３】
また、採光窓３５をセットバック壁Ｗ５に設ける構成としたので、採光窓３５を、平面視で第１直状階段Ｋ１及び第２直状階段Ｋ２の近傍に設置することができ、採光窓３５から採り込まれた光を第１直状階段Ｋ１に直接導くことが可能となって、１階Ｘ１への採光をより効率よく行うことができる。例えば、第１直状階段Ｋ１及び第２直状階段Ｋ２が建物Ａの南北方向の中央付近に設置されている場合、セットバック壁とは異なる外壁（例えば、ベランダＢの替わりに居室が設けられている場合における、当該居室の南側の壁（Ｗ１２））に採光窓３５を設置すると、平面視で、採光窓３５から第１直状階段Ｋ１及び第２直状階段Ｋ２までの距離が離れてしまい、採光窓３５から建物Ａ内に採り込まれた光を第１直状階段Ｋ１へ直接導くことが困難となる。このような場合に、セットバック壁Ｗ５を設けて当該セットバック壁Ｗ５に採光窓３５を設置することで、採光窓３５から採り込まれた光を第１直状階段Ｋ１に効率よく導くことができるものとなる。
【００４４】
また、第１直状階段Ｋ１が、１階Ｘ１から３階Ｘ３にかけて連続する東側壁Ｗ２に隣接していることで、採光窓３５から建物Ａ内に入射した光が、第１直状階段Ｋ１の上方位置の東側壁Ｗ２の内面で反射し、これらの反射光についても１階Ｘ１へ導かれることで、１階Ｘ１への採光効率をより一層向上させることができる。
【００４５】
また、第２直状階段Ｋ２を桁式階段とすることで、第２直状階段Ｋ２の下方の空間（階段下床Ｆ２ａと第２直状階段Ｋ２との間の空間）を、例えば高さを必要としない机等の家具やＡＶ機器等の設置スペースとすることができ、２階中間居室２２の一部として有効活用が可能となる。
【００４６】
本発明は上述の実施形態に限定されるものではない。例えば、上記実施形態では、採光窓３５からの採光についてのみ説明したが、通常行われているように、南側壁Ｗ１２、東側壁Ｗ２、西側壁Ｗ３、北側壁Ｗ４等の適宜の位置に採光窓を設けて建物Ａ内への採光を行うことができることはいうまでもない。
【００４７】
また、上記実施形態では、３階建の建物Ａに本発明を適用した場合を例に説明したが、３階建以上の建物に本発明を適用することもできる。例えば、４階建の建物において、２〜４階に適用することができるのは勿論、４階の壁が３階のセットバック壁と同一面となる場合や３階のセットバック壁よりも更にセットバックしている場合に、１〜３階に適用することができる。
【００４８】
また、本発明は建物Ａの間口寸法が概ね２．７ｍ〜４．５ｍ（平面モジュールＭが３０５ｍｍ程度の場合はＭ×９乃至Ｍ×１５、平面モジュールＭが５００ｍｍ程度の場合はＭ×６乃至Ｍ×９程度）の建物に適用されるのが好ましいが、これに限定されるものではなく、他の形状の建物に本発明を適用することができる。また、建物Ａの向きについても、上記実施形態で説明した向きに限定されるものではない。
【００４９】
また、採光窓３５の替わりに、屋根Ｙに設けた天窓（採光部）を用いて建物Ａ内への採光を行うこともできる。この場合であっても、採光窓３５の場合と同様に、建物Ａ内への採光効率を向上させることができる。なお、天井に設けられる天窓の位置は、第１直状階段Ｋ１の上方に対応する位置が好ましい。
【００５０】
また、第１直状階段Ｋ１と第２直状階段Ｋ２とを、平面視において、階段の幅方向に完全にずれた位置（階段同士が全く重ならない位置）に配置するものとしたが、第１直状階段Ｋ１が第２直状階段Ｋ２で完全に覆われる状態でなければ、第１直状階段Ｋ１と第２直状階段Ｋ２とが、階段の幅方向で一部重なる（上部階の床の吹き抜け部は第１直状階段Ｋ１の上方位置の第２直状階段Ｋ２とは重ならない領域に設ける）ように構成してもよい。
【００５１】
また、上記実施形態では、専用住宅（戸建住宅）である建物Ａに本発明を適用した場合を例に説明したが、専用住宅（戸建住宅）以外に、本発明を適用することもできる。例えば、図９（ａ）及び図９（ｂ）に示されるように、奥行寸法に対して間口寸法の小さな複数の住戸Ａａが集合した集合住宅Ａ１に本発明を適用する場合には、各住戸Ａａを、それぞれ実施形態の建物Ａと同様に３階建として第１直状階段Ｋ１、第２直状階段Ｋ２及び採光窓３５等を設け、住戸Ａａ毎に採光窓３５から１階への採光を行うこともできる。なお、図９（ａ）に示す集合住宅Ａ１は、北側が道路Ｒに接した矩形状の敷地Ｇ１に建てられた重層長屋形式の集合住宅である。また、各住戸Ａａの玄関扉５０は、各住戸Ａａの北側に設けられている。また、図９（ｂ）に示す集合住宅Ａ１は、東側が道路Ｒに接した敷地Ｇ２に建てられた共用の外廊下を備えた共同住宅形式の集合住宅である。
【００５２】
更に、併用住宅に本発明を適用することもできる。例えば、図１０に示されるように、住戸Ａａと、非住宅部分Ｄとが併設された併用住宅Ａ２に本発明を適用する場合、住戸Ａａに対して実施形態の建物Ａの構成を適用する。これにより、併用住宅Ａ２の住戸Ａａにおいて、採光窓３５から１階への採光を行うことができる。なお、併用住宅Ａ２の非住宅部分Ｄは、例えば、店舗、事務所、工場、倉庫等とすることができる。
【００５３】
また、第１直状階段Ｋ１及び第２直状階段Ｋ２は、直線状の階段に限らず、下曲がり階段や上曲がり階段、或いは上下曲がり階段を含むものとする。
【符号の説明】
【００５４】
３５…採光窓（採光部）、Ａ…建物、Ａ１…集合住宅、Ａ２…併用住宅、Ｋ１…第１直状階段、Ｋ２…第２直状階段、Ｈ３１…３階第１開口部（吹き抜け部）、Ｗ５…セットバック壁、Ｘ１…１階（下部階）、Ｘ２…２階（中間階）、Ｘ３…３階（上部階）。
【図１】
2013002052.tif 000003
【図２】
2013002052.tif 000004
【図３】
2013002052.tif 000005
【図４】
2013002052.tif 000006
【図５】
2013002052.tif 000007
【図６】
2013002052.tif 000008
【図７】
2013002052.tif 000009
【図８】
2013002052.tif 000010
【図９】
2013002052.tif 000011
【図１０】
2013002052.tif 000012